(57)【要約】【課題】複数の外部通信機器と、親機又は増設親機とを通信可能に接続する。【解決手段】外部通信機器１４ａ、１４ｂ、１４ｃと、親機１２又は当該親機１２に接続される増設親機１５との間に相互通信可能に接続するインターフェースユニット１３は、インターフェースユニットの待受け、呼び出し、通話、モニタ等の状態を監視する状態監視部１３４と、外部通信機器からのコマンド信号によりインターフェースユニットの状態を遷移させて親機又は増設親機の状態を遷移させるための状態遷移部１３１と、外部通信機器に音声の入出力を行なう音声入出力部１３７、１３８と、映像の出力を行なう映像出力部１３６と、状態監視部で監視されている状態の遷移に基づき呼び出し、通話、モニタ等の状態を示すデータの出力及びコマンド信号の入力を行なう通信部１３３と、通信部、音声入出力部、映像出力部及び外部通信機器間に介在し音声、映像及び／又はデータを３台の外部通信機器に同時に伝送する通信制御部１３９とを備えている。【選択図】図１
2006279415.tif 000002
【特許請求の範囲】
【請求項１】
玄関に設置される子機（１１）と、居室に設置され、子機の呼出ボタン（１１３）の操作による呼び出しに応じて子機のカメラ（１１１）で撮像された映像をモニタ（１２２）で視認しながら子機のマイク（１１２）、スピーカ（１１４）と通話可能な通話装置（１２１）を有する親機（１２）とを備え、
インターホン端末、録画装置、パーソナルコンピュータ等の複数の外部通信機器（１４ａ、１４ｂ、１４ｃ）と、前記親機又は当該親機に接続される増設親機（１５）との間に相互通信可能なインターフェースユニット（１３）を設け、
前記インターフェースユニットは、前記インターフェースユニットの待受け、呼び出し、通話、モニタ等の状態を監視する状態監視部（１３４）と、前記外部通信機器からのコマンド信号により前記インターフェースユニットの状態を遷移させて前記親機又は前記増設親機の状態を遷移させるための状態遷移部（１３１）と、前記外部通信機器に音声の入出力を行なう音声入出力部（１３７、１３８）と、映像の出力を行なう映像出力部（１３６）と、前記状態監視部で監視されている状態の遷移に基づき前記呼び出し、通話、モニタ等の状態を示すデータの出力及び前記コマンド信号の入力を行なう通信部（１３３）と、前記通信部、前記音声入出力部、前記映像出力部及び前記外部通信機器間に介在し前記音声、前記映像及び／又は前記データを前記複数の外部通信機器に同時に伝送する通信制御部（１３９）とを備えることを特徴とするテレビドアホン装置。
【請求項２】
前記通信制御部をＬＡＮインターフェースで構成することを特徴とする請求項１記載のテレビドアホン装置。
【請求項３】
前記テレビドアホン装置において前記親機又は前記増設親機を集合住宅インターホン装置（３）の親機又は増設親機として使用することを特徴とする請求項１又は請求項２記載のテレビドアホン装置。
【発明の詳細な説明】
【技術分野】
【０００１】
本発明はテレビドアホン装置に係り、特に、通信機器を含む複数の外部機器とテレビドアホン装置とを通信可能に接続するテレビドアホン装置に関する。
【背景技術】
【０００２】
従来から、図４に示すように、玄関に設置され、来訪者が住宅内の居住者を呼び出して通話を成立させる子機２１と、住宅内に設置され、来訪者による子機２１からの呼び出しを居住者に対して報知すると共に居住者が来訪者との間で通話を成立させる親機２２及び増設親機２３とを備えたインターホンシステムが知られている（例えば、特許文献１参照）。
【０００３】
子機２１には、呼出ボタン２１１、マイク２１２及びスピーカ２１３が備えられ、主幹線Ｌ１１を介して親機２２が接続されている。また、親機２２には、ハンドセット２２１が備えられ、増設幹線Ｌ１２を介して増設親機２３が接続されている。また、増設親機２３には、通話ボタン２３１、マイク２３２及びスピーカ２３３が備えられ、さらに、親機２２との通信を行なうための幹線通信制御部２３４と、増設親機２３の状態を遷移させるための状態遷移部２３５とを備えている。
【０００４】
このように構成されたインターホンシステムの動作について説明する。
【０００５】
来訪者が子機２１の呼出ボタン２１１を押下すると、呼出信号が親機２２に送信されるので、居住者がその呼び出しに応答するために通話ボタン（図示せず）を押下することで、子機２１と親機２２との間で通話路が形成される。
【０００６】
また、呼出信号は親機２２を介して増設親機２３に送信されるので、その呼出信号は幹線制御通信部２３４で受信される。幹線制御通信部２３４は呼出信号を状態遷移部２３５に送出するので、状態遷移部２３５は増設親機２３の状態を通常待受から呼出に変更してスピーカ２３３より呼出音を鳴動させる。居住者がその呼び出しに応答するために通話ボタン２３１を押下すると、通話要求信号が状態遷移部２３５を介して幹線制御通信部２３４に送出されるので、幹線制御通信部２３４はその通話要求信号を増設幹線Ｌ１２を介して親機２２に送信する。親機２２は通話要求信号を受信すると増設親機２３へ通話信号を送信するので、増設親機２３はその通話信号を幹線通信制御部２３４で受信する。幹線制御通信部２３４は通信信号を状態遷移部２３５に送出するので、状態遷移部２３５は増設親機２３の状態を呼出から通話状態に変更して子機２１と増設親機２３との間で通話路を形成する。したがって、子機２１のマイク２１２、スピーカ２１３と増設親機２３のマイク２３２、スピーカ２３３で通話を開始することができる。
【０００７】
居住者は来訪者との通話が終了すると、再び通話ボタン２３１を押下するので、状態遷移部２３５は増設親機２３の状態を通話状態から終話状態に変更させ、終話要求信号を幹線通信制御部２３４を介して親機２２へ送信するので、子機２１と増設親機２３との間で形成された通話路が閉じられることになる。これにより、増設親機２３の状態が通常待受となる。
【０００８】
また、このようなインターホンシステムは図４に示すように、子機２１にカメラ２１４、親機２２にモニタ２２２、増設親機２３にモニタ２３６がそれぞれ設けられたテレビドアホン装置においても同様に動作する。
【０００９】
【特許文献１】特開２００３−３２４５４１号公報
【発明の開示】
【発明が解決しようとする課題】
【００１０】
しかしながら、背景技術において述べたインターホンシステムでは、既存の親機に対して既存の増設親機を通信可能に接続することはできるが、インターホン端末、録画装置、パーソナルコンピュータ等の外部通信機器を通信可能に既存の親機や増設親機に接続することができない難点があった。
【００１１】
本発明はこのような従来の難点を解決するためになされたもので、複数の外部通信機器と、親機又は増設親機とを通信可能に接続することができるテレビドアホン装置を提供することを目的とする。
【課題を解決するための手段】
【００１２】
本発明のテレビドアホン装置は、玄関に設置される子機と、居室に設置され、子機の呼出ボタンの操作による呼び出しに応じて子機のカメラで撮像された映像をモニタで視認しながら子機のマイク、スピーカと通話可能な通話装置を有する親機とを備えるものである。
【００１３】
本発明の第１の態様であるテレビドアホン装置は、インターホン端末、録画装置、パーソナルコンピュータ等の複数の外部通信機器と、親機又は当該親機に接続される増設親機との間に相互通信可能なインターフェースユニットを設け、このインターフェースユニットは、インターフェースユニットの待受け、呼び出し、通話、モニタ等の状態を監視する状態監視部と、外部通信機器からのコマンド信号によりインターフェースユニットの状態を遷移させて親機又は増設親機の状態を遷移させるための状態遷移部と、外部通信機器に音声の入出力を行なう音声入出力部と、映像の出力を行なう映像出力部と、状態監視部で監視されている状態の遷移に基づき呼び出し、通話、モニタ等の状態を示すデータの出力及びコマンド信号の入力を行なう通信部と、通信部、音声入出力部、映像出力部及び外部通信機器間に介在し音声、前記映像及び／又はデータを複数の外部通信機器に同時に伝送する通信制御部とを備えるものである。
【００１４】
このような第１の態様によるテレビドアホン装置によれば、親機や増設親機をインターホン端末、録画装置、パーソナルコンピュータ等の複数の外部通信機器に接続可能なように改造したり、外部通信機器に接続可能な親機や増設親機に交換したりしなくとも、既存の親機や増設親機に複数の外部通信機器を接続することができるようになる。
【００１５】
本発明の第２の態様は第１の態様であるテレビドアホン装置においては、通信制御部をＬＡＮインターフェースで構成するものである。これにより、複数の外部通信機器を効率的に通信制御部に接続することができる。
【００１６】
本発明の第３の態様は第１の態様又は第２の態様であるテレビドアホン装置において、親機又は増設親機を集合住宅インターホン装置の親機又は増設親機として使用するものである。これにより、集合住宅インターホン装置においてもインターフェースユニットを適用させることができる。
【発明の効果】
【００１７】
本発明のテレビドアホン装置によれば、複数の外部通信機器と、親機又は増設親機とを通信可能に接続することができる。また、複数の外部通信機器と同時に通信を行なうことができるようになる。
【発明を実施するための最良の形態】
【００１８】
以下、本発明のテレビドアホン装置における好ましい実施の形態例について、図面を参照して説明する。図１は、本発明のテレビドアホン装置のブロック図を示している。
【００１９】
本発明の好ましい実施の形態例であるテレビドアホン装置は図１に示すように、玄関に設置され、来訪者が住宅内の居住者を呼び出して通話を成立させる子機１１と、住宅内に設置され、来訪者による子機１１からの呼び出しを居住者に対して報知すると共に居住者が来訪者との間で通話を成立させる親機１２及び増設親機１５とを備え、さらに、外部通信機器であるインターホン端末１４ａ、録画装置１４ｂ及びパーソナルコンピュータ１４ｃと親機１２との間にインターフェースユニット１３が相互通信可能に接続されている。なお、インターホン端末１４ａは浴室やトイレ等に設置されるものである。また、インターフェースユニット１３は、外部通信機器１４ａ、１４ｂ、１４ｃと増設親機１５との間に相互通信可能に接続することもできる。
【００２０】
子機１１は、来訪者があることを親機１２、増設親機１５、インターホン端末１５ａ及びパーソナルコンピュータ１４ｃで居住者に知らせる呼出ボタン１１３と、親機１２、増設親機１５、インターホン端末１５ａ及びパーソナルコンピュータ１４ｃと通話を行なうためのマイク１１２及びスピーカ１１４と、来訪者を撮像するカメラ１１１とを備え、主幹線Ｌ１を介して親機１２が接続されている。
【００２１】
親機１２は、子機１１からの呼び出しを知らせる呼出スピーカ１２３と、子機１１と通話を行なうための通話装置であるハンドセット１２１と、来訪者と通話及び終話を行なうための通話ボタン等が設けられたタッチパネルを有し且つ子機１１のカメラ１１１で撮像された来訪者の映像を出画するモニタ１２２とを備え、２本の増設幹線Ｌ２、Ｌ２のうち一方の増設幹線Ｌ２に増設親機１５が接続され他方の増設幹線Ｌ２にインターフェースユニット１３が接続されている。
【００２２】
増設親機１５は、子機１１と通話を行なうためのマイク１５１及びスピーカ１５２と、子機１１のカメラ１１１で撮像された来訪者の映像を出画するモニタ１５３と、来訪者と通話及び終話を行なうための通話ボタン１５４とを備えている。
【００２３】
インターフェースユニット１３は、インターフェースユニット１３の待受け、呼び出し、通話、モニタ等の状態を監視する状態監視部１３４と、インターホン端末１４ａ、録画装置１４ｂ及びパーソナルコンピュータ１４ｃからのコマンド信号によりインターフェースユニット１３の状態を遷移させて親機１２又は増設親機１５の状態を遷移させるための状態遷移部１３１と、インターホン端末１４ａ及びパーソナルコンピュータ１４ｃに音声の入力を行なう音声入力部１３８及び出力を行なう音声出力部１３７と、インターホン端末１４ａ、録画装置１４ｂ及びパーソナルコンピュータ１４ｃに映像の出力を行なう映像出力部１３６と、状態監視部１３４で監視されている状態の遷移に基づき呼び出し、通話、モニタ等の状態を示すデータの出力及びコマンド信号の入力を行なう通信部１３３と、通信部１３３、音声入力部１３８、音声出力部１３７と外部機器１４ａ、１４ｂ、１４ｃとの間にに介在し音声、映像及び／又はデータを外部機器１４ａ、１４ｂ、１４ｃに同時に伝送する外部機器通信制御部１３９とを備えている。また、インターフェースユニット１３は、既存の親機１２又は増設親機１５に増設幹線Ｌ２を介して接続するための幹線通信制御部１３２を備えている。
【００２４】
このようなインターフェースユニット１３の幹線通信制御部１３２には、状態遷移部１３１、映像出力部１３６、音声出力部１３７及び音声入力部１３８がそれぞれ接続されている。状態遷移部１３１は状態監視部１３４に接続され、状態監視部１３４は通信部１３３及びボタンインターフェース部１３５（以下、ボタンＩ／Ｆ部１３５という。）に接続され、状態遷移部１３１と状態監視部１３４との接続点にはボタンＩ／Ｆ部１３５が接続されている。また、通信部１３３、映像出力部１３６、音声出力部１３７及び音声入力部１３８はそれぞれ外部通信機器通信制御部１３９に接続されている。
【００２５】
外部通信機器通信制御部１３９は、外部通信機器を接続させることができる。図１においては、インターホン端末１４ａ、録画装置１４ｂ及びパーソナルコンピュータ１４ｃが接続されている。なお、この外部通信機器通信制御部１３９は、ＬＡＮインターフェースで構成させれば、複数の外部通信機器を効率的に接続することができる。
【００２６】
このように構成されたテレビドアホン装置１の動作について、図２に示す通信シーケンスに基づき説明する。
【００２７】
来訪者が玄関に設置された子機１１の呼出ボタン１１３で住宅内の居住者を呼び出すための呼び出し操作をすると、子機１１は親機１２に対して呼出信号を送信する（ステップ１０１）。呼出信号を受信した親機１２は子機１１から呼び出しがあったことを知らせるために呼出スピーカ１２３から呼出音を出力すると共に、２本の増設幹線Ｌ２、Ｌ２に呼出信号を送出する。呼出信号を受信した増設親機１２は、子機１１から呼び出しがあったことを知らせるためにスピーカ１５２から呼出音を出力する。
【００２８】
また、インターフェースユニット１３は、幹線通信制御部１３２で呼出信号を受信すると、幹線通信制御部１３２から状態遷移部１３１に送出するので、状態遷移部１３１はインターフェースユニット１３の状態を通常待受から呼出に変更する。状態監視部１３４は、インターフェースユニット１３の状態が通常待受から呼出になったことを検出すると、通信部１３３は呼出信号を外部通信機器通信制御部１３９から送出させる（ステップ１０２）。
【００２９】
例えば、呼出信号を受信したインターホン端末１４ａはこの呼出信号に基づき呼出スピーカ（図示せず）から呼出音を出力する。インターホン端末１４ａで子機１１から呼び出しがあったことを確認した居住者は、インターホン端末１４ａの通話ボタン（図示せず）で通話操作を行なうと、コマンド信号である通話要求信号がインターフェースユニット１３の外部通信機器通信制御部１３９に送信される（ステップ１０３）。外部通信機器通信制御部１３９はその通話要求信号を通信部１３３を介して状態監視部１３４に送出するので、状態監視部１３４はその通話要求信号をボタンＩ／Ｆ部１３５に送出する。ボタンＩ／Ｆ部１３５はその通話要求信号を状態遷移部１３１を介して幹線通信制御部１３２に送出する。即ち、ボタンＩ／Ｆ部１３５は見掛け上通話ボタンで通話操作を行ったような制御を行なう。幹線通信制御部１３２は通話要求信号を増設幹線Ｌ２を介して親機２に送信する（ステップ１０４）。親機２は通話要求信号を受信すると通話信号を増設幹線Ｌ２を介してインターフェースユニット１３へ送信するので、インターフェースユニット１３はその通話信号を幹線通信制御部１３２で受信する（ステップ１０５）。幹線通信制御部１３２は通信信号を状態遷移部１３１に送出するので、状態遷移部１３１はインターフェースユニット１３の状態を呼出から通話状態に変更し、この変更を状態遷移監視部１３４が検出するので、子機１１とインターホン端末１４ａとの間で通話路を形成することができる（ステップ１０６）。
【００３０】
このとき、子機１１のカメラ１１１で撮像したカメラ映像の映像信号が親機１２を介してインターフェースユニット１３の幹線通信制御部１３２で受信されると、幹線通信制御部１３２は映像信号を映像出力部１３６に送出し、映像出力部１３６はその映像信号を外部通信機器通信制御部１３９を介してインターホン端末１４ａに送信するので、インターホン端末１４ａで子機１１のカメラ１１１で撮像したカメラ映像を確認できる。
【００３１】
また、子機１１のマイク１１２からの音声信号が親機１２を介してインターフェースユニット１３の幹線通信制御部１３２で受信されると、幹線通信制御部１３２は音声信号を音声出力部１３７に送出し、音声出力部１３７はその音声信号を外部通信機器通信制御部１３９を介してインターホン端末１４ａに送信するので、インターホン端末１４ａのスピーカ（図示せず）で子機１１のマイク１１２からの音声を聴取することができる。
【００３２】
さらに、インターホン端末１４ａのマイク（図示せず）からの音声信号が外部通信機器通信制御部１３９で受信されると、外部通信機器通信制御部１３９は音声信号を音声入力部１３８に送出し、音声入力部１３８はその音声信号を幹線通信制御部１３２から増設幹線Ｌ２を介して親機１２に送信する。親機１２はその音声信号を主幹線Ｌ１を介して子機１１に送信するので、子機１１のスピーカ１１４でインターホン端末１４ａのマイク（図示せず）からの音声を聴取することができる。
【００３３】
居住者は来訪者との通話が終了すると、インターホン端末１４ａの通話ボタンで終話操作するので、インターホン端末１４ａからインターフェースユニット１３にコマンド信号である終話要求信号が送信される（ステップ１０７）。インターフェースユニット１３の外部通信機器通信制御部１３９で終話要求信号が受信されると、外部通信機器通信制御部１３９は通信部１３３、状態監視部１３４を介して状態遷移部１３１に送出するので、状態遷移部１３１はインターフェースユニット１３の状態を通話状態から終話状態に変更し、終話要求信号をボタンＩ／Ｆ部１３５に送出する。ボタンＩ／Ｆ部１３５はその終話要求信号を状態遷移部１３１を介して幹線通信制御部１３２に送出する。即ち、ボタンＩ／Ｆ部１３５は見掛け上通話ボタンで終話操作を行ったような制御を行なう。幹線通信制御部１３２は終話要求信号を増設幹線Ｌ２を介して親機２に送信する（ステップ１０８）。これにより、子機１１とインターホン端末１４ａとの間で形成された通話路が閉じられることになる（ステップ１０９）。この際、状態監視部１３４は、インターフェースユニット１３の状態が通話状態から終話状態に変化したことを検出すると、通信部１３３は終話信号を外部通信機器通信制御部１３９から送出させる（ステップ１１０）。これにより、インターホン端末１４ａで待受になったことを確認できる。
【００３４】
なお、この場合、通話対象外になっている録画装置１４ｂ、パーソナルコンピュータ１４ｃに対しては、外部通信機器通信制御部１３９から通話中信号を出力して待機させることもできる。
【００３５】
また、このような通信制御は、録画装置１４ｂ、パーソナルコンピュータ１４ｃ等の外部通信機器においても同様に行うことができる。
【００３６】
また、親機１２、増設親機１３の構成は上述した例示には限られない。
【００３７】
また、上述した本発明の実施形態においては、戸建住宅に使用されるインターホン装置の増設親機に適用させていたが、これに限らず、集合住宅インターホン装置の増設親機にも適用させることができる。この集合住宅インターホン装置は図３に示すように、住戸内に設置される住戸親機３１ａ、３１ｂ、・・・と、住戸の玄関先に設置され住戸親機３１ａ、３１ｂ、・・・に接続されるカメラ付玄関子機３２ａ、３２ｂ、・・・と、集合玄関に設置され住戸親機３１ａ、３１ｂ、・・・との通話を行なう集合玄関機３３と、管理室に設置され住戸親機３１ａ、３１ｂ、・・・及び集合玄関機３３と通話を行なう管理室親機３４と、住戸親機３１ａ、３１ｂ、・・・、集合玄関機３３及び管理室親機３４による相互通信を制御する制御機３５とを備えている。
【００３８】
この住戸親機３１ａ、３１ｂ、・・・に、それぞれ上述したインターフェースユニット１３が接続されている。各インターフェースユニット１３には外部通信機器であるインターホン端末１４ａ、録画装置１４ｂ及びパーソナルコンピュータ１４ｃが接続されている。
【００３９】
このような集合住宅インターホン装置においても、テレビドアホン装置１の親機１２に代えて、集合住宅インターホン装置３の住戸親機３１ａ、３１ｂ、・・・として使用することになるので、テレビドアホン装置１と同様の通信制御を行うことができる。
【図面の簡単な説明】
【００４０】
【図１】本発明のテレビドアホン装置における好ましい実施の形態例を示す全体構成図である。
【図２】本発明のテレビドアホン装置における親機、インターフェースユニット及び外部機器の通信状態を示す通信シーケンス図である。
【図３】本発明のテレビドアホン装置における他の好ましい実施の形態例を示す全体構成図である。
【図４】従来のテレビドアホン装置として機能するインターホンシステムを示す全体構成図である。
【符号の説明】
【００４１】
１……テレビドアホン装置
１１……子機
１１１……カメラ
１１２……マイク
１１３……呼出ボタン
１１４……スピーカ
１２……親機
１３……インターフェースユニット
１３１……状態遷移部
１３３……通信部
１３４……状態監視部
１３６……映像出力部
１３７……音声出力部
１３８……音声入力部
１３９……外部通信機器通信制御部
３……集合住宅インターホン装置（テレビドアホン装置）
【図１】
2006279415.tif 000003
【図２】
2006279415.tif 000004
【図３】
2006279415.tif 000005
【図４】
2006279415.tif 000006